【事件の表示】
　平成　８年特許願第２４６９２０号「静電荷像現像用トナー」拒絶査定不服審判事件〔平成１０年　３月１７日出願公開、特開平１０−　７３９５１〕について、次のとおり審決する。
【結　論】
　本件審判の請求は、成り立たない。
【理　由】
Ｉ．手続の経緯 ・本願発明 
　本願は、平成８年８月３０日の出願であって、その請求項１に係る発明（以下、「本願発明１」という。）は、平成１４年７月２９日付け手続補正書により補正された明細書の特許請求の範囲の請求項１に記載された事項により特定される、次のとおりのものである。 
 　　　　　　　　　　　　　　　　　　　 
「【請求項１】　少なくとも結着樹脂、ワックス、磁性体を含有する静電荷像現像用トナーにおいて、
　上記ワックスがガスクロマトグラフにより得られるクロマトグラムの炭素数分布において、炭素（メチレン鎖１個）数に応じて現れるピークが炭素数２０〜１５０の領域で連続する炭素数に対して連続的に観測され、
　上記ワックスは、ゲルパーミェーションクロマトグラフにより測定される分子量分布で数平均分子量（Ｍｎ）が３５０〜１２００であり、重量平均分子量（Ｍｗ）／数平均分子量（Ｍｎ）が２．０以下であり、
　上記結着樹脂は、スチレン−ブタジエン共重合体を結着樹脂中に３〜６０重量％含有することを特徴とする静電荷像現像用トナー。」 
 　　　　　　　　　　　　　　　　　　　 
II．当審における拒絶の理由
　当審における拒絶の理由の概要は、以下のとおりである。
　　　　　　　　　　　　
　本件出願の下記の請求項に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。  
　　　　　　　　　　　　　　　　　 記 
　　　　・刊行物１：特開平７−２７１０９２号公報 
　　　　・刊行物２：特開平７−１８１７４０号公報 
　　　　・刊行物３：特開平７−１５２１９９号公報 
　　　　・刊行物４：特開平７−１９１４９４号公報 
　　　　・刊行物５：特開平８−０１５８９１号公報 
　　　　　　　　　　　　　
III．当審の判断
１．刊行物に記載された事項 
（刊行物１の記載事項）
（１ａ）「トナー粒子の重量平均粒径をＤ（μｍ），トナー粒子の１Ｋエルステッドの磁界における磁化をＭ（ｅｍｕ／ｇ），トナー粒子の密度をγ（ｇ／ｃｍ３）としたとき、それぞれの積γ×Ｄ×Ｍが１２０〜３４０であり、かつ、４級アンモニウム塩がトナー中に含有されていることを特徴とする正帯電性磁性トナー。」【請求項１】 
（１ｂ）「該正帯電性磁性トナーに、結着樹脂としてスチレン−ブタジエン系共重合体を含有することを特徴とする請求項１乃至６のいずれかに記載の正帯電性磁性トナー。」（【請求項７】） 
（１ｃ）発明が解決しようとする課題として、 
「本発明の目的は、トナー消費量が従来に比べてより少ない正帯電性磁性トナー及び該トナーを用いた画像形成方法を提供することにある。 
　さらに、本発明の目的は、画像濃度が高く、カブリの無い画像の得られる正帯電性磁性トナー及び該トナーを用いた画像形成方法を提供することにある。」（【０００８】〜【０００９】） 
（１ｄ）本発明におけるトナーの結着樹脂について、 
「本発明のトナーにおいては、スチレン−ブタジエン系共重合体単独または、他のスチレン系共重合体もしくはポリエステル樹脂と併用させた場合に特に、トナー消費量低減の効果が顕著である。」（【００２３】） 
「特に、スチレンモノマーとブタジエンモノマーとの組み合せが画像濃度の立ち上がりが早く、環境安定性（特に、高温高湿環境下）に優れているので好ましい。特に、正帯電性トナーの場合に効果が顕著である。スチレンモノマーとブタジエンモノマーとの共重合重量比は、５０：５０〜９５：５の熱定着性及びトナーの製造時の粉砕性の点で好ましい。」（【００２４】）
（１ｅ）「また、定着時の定着部材からの離型性の向上、定着性の向上の点から、次のようなワックス類をトナー中に含有させることが好ましい。 
　パラフィンワックス及びその誘導体、モンタンワックス及びその誘導体、マイクロクリスタリンワックス及びその誘導体、フィッシャートロプシュワックス及びその誘導体、ポリオレフィンワックス及びその誘導体、カルナバワックス及びその誘導体などで、誘導体には酸化物や、ビニル系モノマーとのブロック共重合物、グラフト変性物を含む。・・・。
　中でも好ましく用いられるワックスは、オレフィンを高圧下でラジカル重合あるいはチーグラー触媒を用いて重合した低分子量のポリオレフィン及びこの時の副生成物、高分子量のポリオレフィンを熱分解して得られる低分子量のポリオレフィン、一酸化炭素、水素からなる合成ガスから触媒を用いて得られる炭化水素の蒸留残分、あるいはこれらを水素添加して得られる合成炭化水素などから得られるワックスが用いられ、酸化防止剤が添加されていてもよい。あるいは、直鎖状のアルコール、脂肪酸、酸アミド、エステルあるいは、モンタン系誘導体である。また、脂肪酸等の不純物を予め除去してあるものも好ましい。 
　特に好ましいものは、チーグラー触媒でエチレンなどのオレフィンを重合したもの及びこの時の副生成物、フィッシャトロプシュワックスなどの炭素数が数千、特には千ぐらいまでの炭化水素を母体とするものが良い。」（【００５９】〜【００６２】）  
（１ｆ）実施例２５〜２８として、 
「実施例２５〜２８ 
　実施例３の結着樹脂１００重量部のかわりに、前記結着樹脂とスチレン−ブタジエン共重合体（共重合重量比＝８０：２０）を下記の比率で用いる以外は、実施例３と同様にしてトナーを得て、同様に評価した。その結果を表５に示す。 
　　　　　　スチレン−ｎ−ブチル 
　　　　　　アクリレート共重合体 　　スチレン−ブタジェン共重合体 
・実施例２５ 　　　　　　８０　　：　　２０ 
・実施例２６ 　　　　　　７０　　：　　３０ 
・実施例２７ 　　　　　　６０　　：　　４０ 
・実施例２８ 　　　　　　５０　　：　　５０　　　　」（【０１５５】〜【０１５６】）
（１ｇ）前記実施例３のトナーは、結着樹脂としてスチレン−ｎ−ブチルアクリレート共重合体を１００重量部、マグネタイト（八面体，１Ｋエルステッドにおける磁化６７ｅｍｕ／ｇ）を４５重量部、炭化水素ワックスを４重量部、４級アンモニウム塩Ｎｏ．１を０．５重量部用いて得られたものである。（【０１４０】〜【０１４２】、【０１６５】の【表１】） 
（１ｈ）発明の効果として、 
「本発明によれば、トナー粒子の平均粒径、磁化及び密度の積を上記範囲とし、かつ、４級アンモニウム塩を含有させることにより、従来よりも少ないトナー消費量で、高濃度の画像を得ることができる。」（【０１７４】）
　　　　　　　　　　　 
（刊行物２の記載事項）
（２ａ）「結着樹脂，着色剤及びワックスを少なくとも含有するトナー粒子を有する静電荷像現像用トナーにおいて、静電荷像現像用トナーは、重合性ビニル系単量体または重合性ビニル系単量体と有機溶剤との混合物の含有量が１，０００ｐｐｍ以下であり、該トナー粒子は、重合性ビニル系単量体，スチレンまたはスチレン誘導体とブタジエンまたはイソプレンとの共重合重量比が９５：５乃至６５：３５であるスチレン−ジエン共重合体，着色剤，ワックス及び重合開始剤を少なくとも含有する混合物を混合して重合性単量体組成物を調製し、重合性単量体組成物を水系媒体へ分散して造粒し、水系媒体中で重合性ビニル系単量体の重合をおこなうことによって生成された着色樹脂粒子であることを特徴とする静電荷像現像用トナー。」（【請求項１】） 
（２ｂ）発明の解決しようとする課題として、 
「本発明の目的は、粒度分布のシャープな静電荷像現像用トナー及びその製造方法を提供することにある。 
　本発明の目的は、低温定着性に優れ、高温定着時の耐オフセット性に優れている静電荷像現像用トナー及びその製造方法を提供することにある。 
　本発明の目的は、耐ブロッキング性に優れている静電荷像現像用トナー及びその製造方法を提供することにある。」（【００１０】〜【００１２】）
（２ｃ）「シャープな粒度分布のトナーを懸濁重合法又は乳化重合法により直接的に得ることは、分級工程の省略，現像性の向上，高画質化に重要である。 
　ポリマー特性とワックス特性の双方の性質を有する共重合重量比９５：５乃至６５：３５のスチレン−ジエン共重合体を、重合性単量体中に溶解混合することにより、シャープな粒度のトナーを得られることを見い出した。 
　その理由としては、スチレン−ジエン共重合体が造粒工程にワックスを良好に内包化する作用を有するからである。」（【００２０】〜【００２２】） 
（２ｄ）「ワックスは、トナーに５〜３０重量％含有されることが好ましく、本発明に用いられるワックスとしては、パラフィン，ポリオレフィン，エステル系ワックスが挙げられる。ワックスは融点５０〜９０℃を有しているものが低温定着を達成しうるので好ましい。」（【００３１】） 
（２ｅ）「本発明では、重合性単量体組成物にスチレン−ジエン共重合体以外の他の樹脂を添加して重合しても良い。」（【００３５】） 
（２ｆ）「磁性体をトナー粒子に添加することにより磁性トナーとしても良い。」（【００３８】） 
（２ｇ）発明の効果として、 
「本発明によれば、トナー粒子の有機溶剤成分の量を規制し、さらに、ポリマー特性とワックス特性の双方の性質を有するスチレン−ジエン共重合体を重合性単量体中に溶解混合しているために、高温定着時の耐オフセット性に優れ、耐ブロッキング性，低温定着性ともに優れており、粒度分布のシャープなトナーを得ることができる。」（【００８６】）
  　　　　　　　　　　　　　　　　　　
（刊行物３の記載事項） 
（３ａ）「ガラス転移点（Ｔｇ）５０〜７０℃を有する結着樹脂１００重量部に対して、固体ワックス０．２〜２０重量部、及び、液体潤滑剤を担持している着色剤０．１〜２０重量部及び／又は液体潤滑剤を担持している磁性粉１０〜２００重量部を少なくとも含有しているトナーを有する静電荷像現像用現像剤であって、該トナー粒子表面に液体潤滑剤を有することを特徴とする静電荷像現像用現像剤。」（【請求項１】） 
（３ｂ）前記固体ワックスとして、 
「また、その他に好ましいワックスは、ガスクロマトグラフにより測定される炭素数分布において、炭素数が２０以上、更には３０以上、特には４０以上を主成分とするものが好ましい。そして炭素数（メチレン鎖１個）に応じて現われるピークが炭素数で連続的に観測され、ピークに規則的な強弱が現われないワックスが特に硬く、滑り性に富み本発明に好ましく用いられる。
　現像性，定着性，耐オフセット性から最大のピークが炭素数３０以上、更には４０以上、特には５０〜１５０にあるものが好ましく用いられる。 
　また、ＧＰＣにより測定される分子量分布で重量平均分子量（Ｍｗ）／数平均分子量（Ｍｎ）が３．０以下、更には２．５以下、特には２．０以下であるポリオレフィンワックス，炭化水素ワックス，長鎖アルキルアルコールワックスも硬く、滑り性に富み好ましいワックスである。 
　また分子量により分別されたワックスも、滑る，硬いという特徴をもつ。ワックスが硬いと、トナーとした時に、トナーの表面層に現われたワックスの作用で、トナーがより滑りやすくなる。つまり、トナーが感光体上に付着しにくく、クリーニングされやすくなり、融着を防ぐことができる。また、トナーが滑りやすいということから、トナーの持つ研磨作用が減少し、トナー自身が感光体を削りすぎるということがなくなり、液体潤滑剤の離型性，潤滑性と相まってトナー粒子に、より効果的な離型性，潤滑性を与えることができる。 
　更にこれらのワックスがＧＰＣによる分子量分布におけるＭｎで３００〜１５００であることが好ましく、より好ましくは３５０〜１２００であり、更に好ましくは４００〜１０００である。Ｍｗは５００〜４５００であることが好ましく、より好ましくは５５０〜３６００、更に好ましくは６００〜３０００である。 
　Ｍｎで３００，Ｍｗで５００未満の場合には、液体潤滑剤と共に用いると可塑作用が大きく働く場合があり、耐ブロッキング性が劣化したり、現像性が低下することがある。Ｍｎで１５００，Ｍｗで４５００を超える場合にはワックスの定着性向上作用が得られにくくなる。」（【０１５７】〜【０１６２】）  
（３ｃ）発明の効果として、 
「本発明の現像剤は、液体潤滑剤を担持する着色剤，磁性粉とワックスを含有し、トナー粒子表面に液体潤滑剤を有した現像剤であるため、離型性，潤滑性の優れた現像剤とすることができる。 
　更に、離型性，潤滑性の耐久性，持続性に優れ、かつ現像性に悪影響を与えない現像剤とすることができる。 
　また、転写性，クリーニング性に優れ、潜像保持体に傷，融着，フィルミングを発生させず寿命を延ばせる現像剤である。 
　そして、文字中抜け，飛び散り等が発生しない、原稿に忠実な画像の得られる現像剤であり、接触帯電，接触転写等、潜像保持体に圧接する部材がある画像形成方法においても長期間にわたり良好な画像が得られる現像剤である。 
　また、多数のコピーを行った場合にも接触帯電部材や接触転写部材へのトナー固着，汚染が抑えられ、画像欠陥の生じない現像剤である。」（【０４３４】〜【０４３８】） 　　　　　　　　　　　　　　　　　　　　　　　　　　　　　　　  
（刊行物４の記載事項）
（４ａ）「ガラス転移点（Ｔｇ）５０〜７０℃を有する結着樹脂１００重量部に対して、ＤＳＣ曲線におけるオンセット温度５０℃以上の固体ワックス０．２〜２０重量部、及び、着色剤０．１〜２０重量部及び／又は磁性粉１０〜２００重量部、及び、液体潤滑剤１０〜９０重量％を有する潤滑粒子０．１〜２０重量部を少なくとも含有しているトナーと、該トナーと外添混合されている有機処理せしめた無機微粉体とを有する静電荷像現像用現像剤であって、該トナー粒子表面に液体潤滑剤を有することを特徴とする静電荷像現像用現像剤。」（【請求項１】） 
（４ｂ）前記固体ワックスとして、 
「また、その他に好ましいワックスは、ガスクロマトグラフにより測定される炭素数分布において、炭素数が２０以上、更には３０以上、特には４０以上を主成分とするものが好ましい。そして炭素数（メチレン鎖１個）に応じて現われるピークが炭素数で連続的に観測され、ピークに規則的な強弱が現われないワックスが特に硬く、滑り性に富み本発明に好ましく用いられる。
　現像性，定着性，耐オフセット性から最大のピークが炭素数３０以上、更には４０以上、特には５０〜１５０にあるものが好ましく用いられる。 
　また、ＧＰＣにより測定される分子量分布で重量平均分子量（Ｍｗ）／数平均分子量（Ｍｎ）が３．０以下、更には２．５以下、特には２．０以下であるポリオレフィンワックス，炭化水素ワックス，長鎖アルキルアルコールワックスも硬く、滑り性に富み好ましいワックスである。 
　また分子量により分別されたワックスも、滑る，硬いという特徴をもつ。ワックスが硬いと、トナーとした時に、トナーの表面層に現われたワックスの作用で、トナーがより滑りやすくなる。つまり、トナーが感光体上に付着しにくく、クリーニングされやすくなり、融着を防ぐことができる。また、トナーが滑りやすいということから、トナーの持つ研磨作用が減少し、トナー自身が感光体を削りすぎるということがなくなり、液体潤滑剤の離型性，潤滑性と相まってトナー粒子に、より効果的な離型性，潤滑性を与えることができる。 
　更にこれらのワックスがＧＰＣによる分子量分布におけるＭｎで３００〜１５００であることが好ましく、より好ましくは３５０〜１２００であり、更に好ましくは４００〜１０００である。Ｍｗは５００〜４５００であることが好ましく、より好ましくは５５０〜３６００、更に好ましくは６００〜３０００である。 
　Ｍｎで３００，Ｍｗで５００未満の場合には、液体潤滑剤と共に用いると可塑作用が大きく働く場合があり、耐ブロッキング性が劣化したり、現像性が低下することがある。Ｍｎで１５００，Ｍｗで４５００を超える場合にはワックスの定着性向上作用が得られにくくなる。」（【０１７１】〜【０１７６】） 
（４ｃ）発明の効果として、 
「本発明の現像剤は、液体潤滑剤を有する潤滑粒子とワックスを含有し、トナー粒子表面に液体潤滑剤を有した現像剤であるため、離型性，潤滑性の優れた現像剤とすることができる。 
　更に、離型性，潤滑性の耐久性，持続性に優れ、かつ現像性に悪影響を与えない現像剤とすることができる。 
　また、転写性，クリーニング性に優れ、潜像保持体に傷，融着，フィルミングを発生させず寿命を延ばせる現像剤である。 
　そして、文字中抜け，飛び散り等が発生しない、原稿に忠実な画像の得られる現像剤であり、接触帯電，接触転写等、潜像保持体に圧接する部材がある画像形成方法においても長期間にわたり良好な画像が得られる現像剤である。 
　また、多数のコピーを行った場合にも接触帯電部材や接触転写部材へのトナー固着，汚染が抑えられ、画像欠陥の生じない現像剤である。」（【０４５０】〜【０４５４】） 　　　　　　　　　　　　　　　　　　　　　　　　　　　　　 
（刊行物５の記載事項）
（５ａ）「ガラス転移点（Ｔｇ）５０〜７０℃を有する結着樹脂１００質量部に対して、固体ワックス０．２〜２０質量部、及び、液体潤滑剤を担持している着色剤０．１〜２０質量部又は／及び液体潤滑剤を担持している磁性粉１０〜２００質量部を少なくとも含有しているトナーと、 
該トナーと外添混合されている、窒素元素を有する置換基を有するシラン化合物及びシリコーンオイルにより処理せしめた無機微粉体とを有する静電荷像現像用現像剤であって、該トナー粒子表面に液体潤滑剤を有することを特徴とする静電荷像現像用現像剤。」（【請求項１】） 
（５ｂ）前記固体ワックスとして、 
「また、その他に好ましいワックスは、ガスクロマトグラフにより測定される炭素数分布において、炭素数が２０以上、更には３０以上、特には４０以上を主成分とするものが好ましい。そして炭素数（メチレン鎖１個）に応じて現れるピークが炭素数で連続的に観測され、ピークに規則的な強弱が現れないワックスが特に硬く、滑り性に富み本発明に好ましく用いられる。 
　現像性、定着性、耐オフセット性から最大のピークが炭素数３０以上、更には４０以上、特には５０〜１５０にあるものが好ましく用いられる。 
　また、ＧＰＣにより測定される分子量分布で重量平均分子量（Ｍｗ）／数平均分子量（Ｍｎ）が３．０以下、更には２．５以下、特には２．０以下であるポリオレフィンワックス、炭化水素ワックス、長鎖アルキルアルコールワックスも硬く、滑り性に富み好ましいワックスである。 
　また分子量により分別されたワックスも、滑る、硬いという特徴をもつ。ワックスが硬いと、トナーとした時に、トナーの表面層に現われたワックスの作用で、トナーがより滑りやすくなる。つまり、トナーが感光体上に付着しにくく、クリーニングされやすくなり、融着を防ぐことができる。また、トナーが滑りやすいということから、トナーの持つ研磨作用が減少し、トナー自身が感光体を削りすぎるということがなくなり、液体潤滑剤の離型性、潤滑性と相まってトナー粒子に、より効果的な離型性、潤滑性を与えることができる。 
　更にこれらのワックスがＧＰＣによる分子量分布におけるＭｎで３００〜１５００であることが好ましく、より好ましくは３５０〜１２００であり、更に好ましくは４００〜１０００である。Ｍｗは５００〜４５００であることが好ましく、より好ましくは５５０〜３６００、更に好ましくは６００〜３０００である。 
　Ｍｎで３００、Ｍｗで５００未満の場合には、液体潤滑剤と共に用いると可塑作用が大きく働く場合があり、耐ブロッキング性が劣化したり、現像性が低下することがある。Ｍｎで１５００、Ｍｗで４５００を超える場合にはワックスの定着性向上作用が得られにくくなる。」（【０１５９】〜【０１６４】） 
（５ｃ）発明の効果として、 
「本発明の現像剤は、液体潤滑剤を担持する着色剤、磁性体とワックスを含有し、トナー粒子表面に液体潤滑剤を有した現像剤であるため、離型性、潤滑性に優れた現像剤とすることができる。 
　更に、本発明の現像剤は、窒素元素を有する置換基を有するシラン化合物及びシリコーンオイルにより処理せしめた無機微粉体が外添混合されているため、離型性、潤滑性の耐久性、持続性に優れ、且つ低湿環境下および高湿環境下においても優れた現像性を維持でき、高速複写耐久性にも優れた現像剤とすることができる。 
　また、転写性、クリーニング性に優れ、潜像保持体に傷、融着、フィルミングを発生させず、高寿命化を実現できる現像剤である。 
　そして、転写中抜け、飛び散り等が発生しない、原稿に忠実な画像の得られる現像剤であり、接触帯電、接触転写等、潜像保持体に圧接する部材がある画像形成方法においても長期間にわたり良好な画像が得られる現像剤である。 
　また、多数の複写を行った場合にも接触帯電部材や接触転写部材へのトナー固着、汚染が抑えられ、画像欠陥の生じない現像剤である。」（【０４４０】〜【０４４４】）　　　　　　　　　　　　　　　　　　　　　　　　　　　　 
２．対比・判断
　刊行物１の（１ｆ）の記載によれば、実施例２５〜２８におけるトナーの結着樹脂は、スチレン−ブタジエン共重合体を結着樹脂中に２０〜５０重量％含有している。 
　また、実施例３および実施例２５〜２８において用いられているマグネタイトは磁性体である（１ｆ、１ｇ）。 
　よって、刊行物１には次の発明（以下、「刊行物１発明」という。）が記載されている。
「少なくとも結着樹脂、ワックス、磁性体を含有する静電荷像現像用トナーにおいて、上記ワックスが炭化水素ワックスであり、上記結着樹脂は、スチレン−ブタジエン共重合体を結着樹脂中に２０〜５０重量％含有することを特徴とする静電荷像現像用トナー。」
　　　　　　　　　　　　　 
　本願請求項１に係る発明（以下、「本願請求項１発明」という。）と、刊行物１発明とを対比すると、両者は、  
「少なくとも結着樹脂、ワックス、磁性体を含有する静電荷像現像用トナーにおいて、上記結着樹脂は、スチレン−ブタジエン共重合体を結着樹脂中に２０〜５０重量％含有することを特徴とする静電荷像現像用トナー。」である点で一致し、以下の点で相違している。
　　　　　　　　　　　　　　　　　　　　 
［相違点］
　本願請求項１発明におけるワックスは、「ガスクロマトグラフにより得られるクロマトグラムの炭素数分布において、炭素（メチレン鎖１個）数に応じて現れるピークが炭素数２０〜１５０の領域で連続する炭素数に対して連続的に観測され、ゲルパーミェーションクロマトグラフにより測定される分子量分布で数平均分子量（Ｍｎ）が３５０〜１２００であり、重量平均分子量（Ｍｗ）／数平均分子量（Ｍｎ）が２．０以下である」ワックスであるのに対し、刊行物１発明のワックスは、「炭化水素ワックス」であるが、その具体的な物性については不明である点。　　　　　　　　　　　　　　　　　　　　　　　　　　　　　　　 
　そこで、前記相違点について検討する。 
　刊行物３の（３ｂ）、刊行物４の（４ｂ）、および刊行物５の（５ｂ）に記載のように、本願請求項１発明における前記のような物性を有するワックスは、硬く、滑り性に富み、トナーの離型性、潤滑性、耐ブロッキング性、現像性等の諸特性に優れたトナーを得るためのワックスとして、当該技術分野において、本願出願前に周知の炭化水素ワックスである。 
　そして、刊行物１発明においても、トナーの定着時の定着部材からの離型性の向上等の諸特性を勘案してワックスを選択しており、特に好ましいワックスとして炭化水素ワックスが記載されていることから（１ｅ）、刊行物１発明における炭化水素ワックスとして、具体的に刊行物３ないし５に記載の周知の炭化水素ワックスを用いることは、当業者が容易に想到し得た事項である。
　　　　　　　　　　　　　　　　　
　請求人は平成１８年１１月２７日付け意見書において、上記刊行物１ないし５には、本願請求項１発明の規定をすべて満たすトナーについて記載がなく、また当該規定をすべて満たすことで得られる効果について記載がなく、示唆も認められない旨主張する。
　本願請求項１発明の構成をとることによる効果について、本願明細書の【０１２０】には「本発明のトナーは、特定のワックス及び結着樹脂を用いることにより、定着性、耐オフセット性を満足し、現像性に優れたトナーとすることができる。さらに、本発明は、高画像濃度、画像濃度安定性、環境安定性に優れたトナーとすることができ、ブロッチ、スリーブ汚れの発生しないトナーとすることができる。」と記載されているが、本願明細書の実施例・比較例の記載からみて、上記効果は、特定のワックスと特定の結着樹脂がそれぞれ有する効果を寄せ集めたものであり、特定のワックスと特定の結着樹脂を組み合わせたことにより格別の効果が生じたとは認められない。
　そして、刊行物１には、スチレン−ブタジエン共重合体を用いると、画像濃度の立ち上がりが早く、環境安定性に優れており、熱定着性の点で好ましいものとなりうる点が記載されており（１ｄ）、刊行物２には、ポリマー特性とワックス特性の双方の性質を有するスチレン−ジエン共重合体を含有するトナーは、耐オフセット性、耐ブロッキング性、低温定着性に優れていることが記載されており（２ｇ）、さらに、前記のように、刊行物３ないし５の記載からみて、本願請求項１発明における前記のような物性を有するワックスは、硬く、滑り性に富み、トナーの離型性、潤滑性、耐ブロッキング性、現像性等の諸特性に優れたトナーを得るための炭化水素ワックスであることが、本願出願前に周知であることからみて、前記の効果はいずれも刊行物１ないし５の記載から当業者が予測し得た程度のものであって、格別顕著なものではない。
　　　　　　　　　　
IV．むすび
　以上のとおりであるから、本願請求項１発明は、刊行物１ないし５に記載された発明に基づいて当業者が容易に発明をすることができたものであるから、特許法２９条２項の規定により特許を受けることができない。 
　したがって、本願は、拒絶すべきものである。 
　よって、結論のとおり審決する。